(57)【要約】【課題】上皿扉の係合片に鉤部を容易に係合させることができる遊技機における施錠装置を提供する。【解決手段】施錠装置１７の支持体１８において、固定板１８ａの下部には上皿扉鉤部材取付板２０が取り付けられ、その上皿扉鉤部材取付板２０には第１及び第２上皿扉鉤部材２１，２２が上下に位置するように傾動可能に軸支されている。第１及び第２上皿扉鉤部材２１，２２にはそれぞれ上皿扉鉤部２１ｂ，２２ｂが形成され、上皿扉鉤部２１ｂ，２２ｂはそれぞれ上皿扉１６に上下二段設けられた係合片２４に係合可能に形成されている。また、第１及び第２上皿扉鉤部材２１，２２の間にはコイルばね２５が設けられ、そのコイルばね２５の付勢力により、上皿扉鉤部２１ｂ，２２ｂが互いに近づく方向に傾動するように第１及び第２上皿扉鉤部材２１，２２が付勢されている。【選択図】　　　図５
2004081242.tif 000002
【特許請求の範囲】
【請求項１】
外枠と、遊技盤が保持されて外枠の前面に開閉可能に支持された前枠と、前枠の前面に開閉可能に支持されたガラス扉と、前枠の前面に開閉可能に支持された上皿扉とから構成された遊技機の前記前枠に取着され、少なくとも前記ガラス扉及び上皿扉を前枠に施錠する遊技機における施錠装置であって、前枠に固定される支持体を備え、同支持体には上皿扉を前枠に施錠すべく当該上皿扉に設けられた係合片に係合する鉤部を備えた上皿扉鉤部材が傾動可能に軸支され、当該上皿扉鉤部材は前記鉤部が前記係合片に係合する方向へ付勢部材の付勢力により付勢されていることを特徴とする遊技機における施錠装置。
【請求項２】
前記上皿扉には上下二段に前記係合片が設けられているとともに、前記支持体には前記各係合片に鉤部が係合すべく二体の上皿扉鉤部材が上下に位置して設けられ、両上皿扉鉤部材は取付軸によって連結されていることを特徴とする請求項１に記載の遊技機における施錠装置。
【請求項３】
前記上皿扉には一箇所に前記係合片が設けられているとともに、前記支持体には一体の上皿扉鉤部材が設けられていることを特徴とする請求項１に記載の遊技機における施錠装置。
【請求項４】
前記上皿扉鉤部材には、当該上皿扉鉤部材を手動で傾動させるための操作片が形成されていることを特徴とする請求項１〜請求項３のいずれか一項に記載の遊技機における施錠装置。
【請求項５】
前記上皿扉鉤部材には、前枠に対して閉止状態にある上皿扉側へ突出するように延びる押出片が形成されていることを特徴とする請求項１〜請求項４のいずれか一項に記載の遊技機における施錠装置。
【発明の詳細な説明】
【０００１】
【発明の属する技術分野】
本発明は、例えばパチンコ遊技機において、前枠と外枠、ガラス扉と前枠及び上皿扉と前枠を施錠するための遊技機における施錠装置に関するものである。
【０００２】
【従来の技術】
遊技機の一種であるパチンコ遊技機における施錠装置は、四角枠状をなすパチンコ遊技機の外枠に、四角枠状をなす前枠を施錠することができ、前記前枠にガラス扉を施錠することができる。さらに、前記施錠装置は、前記前枠に、ガラス扉の下側に設けられた上皿扉を施錠することができる。
【０００３】
上記構成の施錠装置は、縦長の支持体を備え、その支持体の内側に前枠、ガラス扉及び上皿扉を施錠するための施錠機構が設けられている。前記上皿扉の施錠機構は支持体の下部の外側に設けられた上皿扉施錠杆により形成されている。この上皿扉施錠杆は略細長四角板状に形成され、前記支持体に沿って上下方向に摺動可能に取り付けられているとともに、コイルばねにより上方に付勢されている。また、上皿扉施錠杆の上下方向における中央部には鉤部が延設され、その鉤部は、上皿扉の自由端側の裏面に設けられた板状をなす係合片に係合可能に形成されている。
【０００４】
そして、前枠に対して開かれた状態の上皿扉を閉止方向へ回転させると、上皿扉の前記係合片によって上皿扉施錠杆がコイルばねの付勢力に抗して押し下げられる。上皿扉がさらに回転され、係合片が鉤部の先端を通過すると、上皿扉施錠杆の押し下げ状態が解除され、コイルばねの付勢力により上皿扉施錠杆が上方へ移動される。その結果、鉤部も上方へ移動し、鉤部の内側縁が係合片の外面に係合して上皿扉が前枠に施錠される。
【０００５】
【発明が解決しようとする課題】
ところが、上記従来の施錠装置において、上皿扉の施錠の際、鉤部は係合片の下側から上方へ真っ直ぐに移動して係合する。そのため、上皿扉施錠杆の上方への移動の際、鉤部の先端が係合片の下端に接触する虞があり、鉤部が係合片に係合しにくくなる虞があるという問題があった。
【０００６】
本発明は、上記従来技術に存在する問題点に着目してなされたものである。その目的とするところは、上皿扉の係合片に鉤部を容易に係合させることができる遊技機における施錠装置を提供することにある。
【０００７】
【課題を解決するための手段】
上記問題点を解決するために、請求項１に記載の発明は、外枠と、遊技盤が保持されて外枠の前面に開閉可能に支持された前枠と、前枠の前面に開閉可能に支持されたガラス扉と、前枠の前面に開閉可能に支持された上皿扉とから構成された遊技機の前記前枠に取着され、少なくとも前記ガラス扉及び上皿扉を前枠に施錠する遊技機における施錠装置であって、前枠に固定される支持体を備え、同支持体には上皿扉を前枠に施錠すべく当該上皿扉に設けられた係合片に係合する鉤部を備えた上皿扉鉤部材が傾動可能に軸支され、当該上皿扉鉤部材は前記鉤部が前記係合片に係合する方向へ付勢部材の付勢力により付勢されていることを要旨とする。
【０００８】
請求項２に記載の発明は、請求項１に記載の遊技機における施錠装置において、前記上皿扉には上下二段に前記係合片が設けられているとともに、前記支持体には前記各係合片に鉤部が係合すべく二体の上皿扉鉤部材が上下に位置して設けられ、両上皿扉鉤部材は取付軸によって連結されていることを要旨とする。
【０００９】
請求項３に記載の発明は、請求項１に記載の遊技機における施錠装置において、前記上皿扉には一箇所に前記係合片が設けられているとともに、前記支持体には一体の上皿扉鉤部材が設けられていることを要旨とする。
【００１０】
請求項４に記載の発明は、請求項１〜請求項３のいずれか一項に記載の遊技機における施錠装置において、前記上皿扉鉤部材には、当該上皿扉鉤部材を手動で傾動させるための操作片が形成されていることを要旨とする。
【００１１】
請求項５に記載の発明は、請求項１〜請求項４のいずれか一項に記載の遊技機における施錠装置において、前記上皿扉鉤部材には、前枠に対して閉止状態にある上皿扉側へ突出するように延びる押出片が形成されていることを要旨とする。
【００１２】
【発明の実施の形態】
以下、本発明を具体化した実施形態を図１〜図６に基づいて詳細に説明する。図６に示すように遊技機の一種であるパチンコ遊技機１１は、その外郭が縦長四角枠状をなす外枠１２により形成されている。この外枠１２の前面の一側部には、四角枠状をなす前枠１３の一側部が軸支され、外枠１２に対して開閉可能になっている。なお、前記外枠１２の他側部には図示しない係合金具が設けられている。前記前枠１３には、図示しない打球発射装置、球皿等のパチンコゲームを展開可能とする遊技構成部材が搭載できるとともに、前枠１３の内側には遊技盤１４が保持されるようになっている。
【００１３】
前枠１３の前面の一側部には四角板状のガラス扉１５の一側部が軸支され、前枠１３に対して開閉可能に支持されている。この、ガラス扉１５の前枠１３に対する閉止状態ではパチンコ遊技機１１前面から遊技盤１４が視認可能となっている。前記ガラス扉１５の他側部の背面には、図示しない係合金具が取り付けられている。さらに、前枠１３の一側部におけるガラス扉１５の下方には、図示しないパチンコ球を貯留するための上皿を備えた長四角板状の上皿扉１６の一側部が軸支され、前枠１３の前面に開閉可能に支持されている。図６に２点鎖線で示すように、この上皿扉１６の他側部の背面には上下二段に係合片２４が取り付けられている。
【００１４】
前枠１３の他側部の背面には縦長四角状の施錠装置１７が装着され、この施錠装置１７によりガラス扉１５及び上皿扉１６を前枠１３に施錠できるとともに、前枠１３を外枠１２に施錠できるようになっている。なお、以下において上下左右は、パチンコ遊技機１１を前方から見た場合の上下左右を示すものとする。
【００１５】
図１に示すように、施錠装置１７は、亜鉛メッキ鋼板等の金属板から形成され、断面略コ字状をなすとともに、上下方向に延びるように形成された支持体１８によって外郭が形成されている。この支持体１８は、縦長四角板状の固定板１８ａと、固定板１８ａの左側から背面方向に折り曲げ形成された側板１８ｂと、固定板１８ａの右側から背面方向に折り曲げ形成されたリブ１８ｃとから構成されている。支持体１８の下部において、固定板１８ａの左側縁には、支持体１８の上下方向に延びる貫通溝１８ｄが貫設されている。
【００１６】
そして、施錠装置１７は、図３に示すように、固定板１８ａの前面を前枠１３の背面に当接させ、前枠１３に固定板１８ａをねじ等で固定することによって前枠１３に装着されている。
【００１７】
次に、前記上皿扉１６の前枠１３に対する施錠機構について詳述する。図１に示すように、側板１８ｂの下端の内側には長四角板状の上皿扉鉤部材取付板２０が取り付けられている。この上皿扉鉤部材取付板２０の背面側端縁には当接規制片２０ａが右方向に延びるように折り曲げ形成されている。また、上皿扉鉤部材取付板２０の中央部には取付長孔２０ｂが横方向に延びるように穿設されている。なお、上皿扉鉤部材取付板２０の側板１８ｂに対する取付状態で、側板１８ｂにおいて取付長孔２０ｂに対応する箇所は開口するように切り欠かれている。
【００１８】
図３に示すように、上皿扉鉤部材取付板２０の内面の上部には第１上皿扉鉤部材２１が取り付けられ、その第１上皿扉鉤部材２１の下部に第２上皿扉鉤部材２２が取り付けられている。具体的には、前記第１上皿扉鉤部材２１は金属板により細長状に形成されている。そして、第１上皿扉鉤部材２１はそのほぼ中央部に挿通された第１回動軸１９ａが上皿扉鉤部材取付板２０に固定されることにより、上皿扉鉤部材取付板２０を介して支持体１８に傾動可能に軸支されている。
【００１９】
この第１上皿扉鉤部材２１の上端部には、操作片２１ａが前方に延びるように形成され、その操作片２１ａの下側には鉤部としての上皿扉鉤部２１ｂが、前方に延び、さらに下方へ延びるように形成されている。この上皿扉鉤部２１ｂの内側縁は鉛直方向に対して若干傾斜するように形成され、上皿扉鉤部２１ｂは、前記上下二段の係合片２４のうち上側に位置する係合片２４の外面に係合可能に形成されている。
【００２０】
さらに、第１上皿扉鉤部材２１の下端部には、上下方向に延びる第１長孔２１ｄが形成されている。上記構成の第１上皿扉鉤部材２１は、操作片２１ａ及び上皿扉鉤部２１ｂがそれぞれ前記貫通溝１８ｄを貫通して固定板１８ａの前面側に突出するように上皿扉鉤部材取付板２０に取り付けられている。
【００２１】
前記第２上皿扉鉤部材２２は金属板により側面視略逆Ｌ字状に形成されている。そして、第２上皿扉鉤部材２２はそのほぼ中央部に挿通された第２回動軸１９ｂが上皿扉鉤部材取付板２０に固定されることにより、上皿扉鉤部材取付板２０を介して支持体１８に傾動可能に軸支されている。
【００２２】
この第２上皿扉鉤部材２２の上端部には、上下方向に延びる第２長孔２２ａが形成されている。また、第２上皿扉鉤部材２２の下端部には上皿扉鉤部２２ｂが前方に延び、さらに上方へ延びるように形成されている。この上皿扉鉤部２２ｂの内側縁は鉛直方向に対して若干傾斜するように形成され、前記上下二段の係合片２４のうち下側に位置する係合片２４の外面に係合可能に形成されている。そして、上記構成の第２上皿扉鉤部材２２は前記上皿扉鉤部２２ｂが前記貫通溝１８ｄを貫通して固定板１８ａの前面側に突出するように上皿扉鉤部材取付板２０に取り付けられている。
【００２３】
図５に示すように、上記第１及び第２上皿扉鉤部材２１，２２は、それぞれ上皿扉鉤部２１ｂ，２２ｂが互いに相対向するように上皿扉鉤部材取付板２０に取り付けられている。また、上皿扉１６が前枠１３に施錠されたとき、上下二段に位置する係合片２４のうち、上側の係合片２４は第１上皿扉鉤部材２１の上皿扉鉤部２１ｂの内側に位置し、下側の係合片２４は第２上皿扉鉤部材２２の上皿扉鉤部２２ｂの内側に位置する。
【００２４】
前記第１長孔２１ｄ及び第２長孔２２ａには取付軸２３が挿通され、その取付軸２３の先端に、図５に破線で示す取付板２３ａが取り付けられて第１及び第２上皿扉鉤部材２１，２２が取付軸２３により連結されている。前記取付板２３ａは円盤状をなし、前記取付長孔２０ｂ内に配置されている。なお、取付軸２３及び取付板２３ａの位置は、上記位置に限定されるものではなく、第１及び第２上皿扉鉤部材２１，２２がそれぞれ傾動し、各上皿扉鉤部２１ｂ，２２ｂと係合片２４との係合が確保される位置であればよい。
【００２５】
上皿扉鉤部２１ｂの内側の下縁から下方へ延びる部位には付勢部材としてのコイルばね２５の上端が掛止され、上皿扉鉤部２２ｂの内側の上縁から上方へ延びる部位には前記コイルばね２５の下端が掛止されている。このコイルばね２５の付勢力により、上皿扉鉤部２１ｂ，２２ｂが互いに近づく方向へ第１及び第２上皿扉鉤部材２１，２２が傾動するように付勢されている。即ち、コイルばね２５の付勢力により、上皿扉鉤部２１ｂ，２２ｂがそれぞれ係合片２４に係合する方向へ第１及び第２上皿扉鉤部材２１，２２が傾動するように付勢されている。
【００２６】
第１及び第２上皿扉鉤部材２１，２２は上皿扉鉤部材取付板２０に軸支され、取付軸２３の先端及び取付板２３ａは取付長孔２０ｂ内に位置している。即ち、上皿扉１６の施錠機構は上皿扉鉤部材取付板２０上に設けられてユニット化されている。
【００２７】
次に、前枠１３の外枠１２に対する施錠機構について説明する。図１に示すように、固定板１８ａの上部には背面横台形状のシリンダ錠固定部３６が形成されている。シリンダ錠固定部３６にはシリンダ錠３７の基端部が装着され、その先端側は固定板１８ａの表面に突出した状態となっている。シリンダ錠３７の基端には、背面視略Ｖ字状のカム板３８が錠軸３９に軸着されている。そして、図２（ａ）に示すように、シリンダ錠３７の先端側から鍵４０を挿入して解錠操作を行うべく回転させると、カム板３８は錠軸３９を中心に鍵４０の回転方向と同一方向に回転するようになっている。
【００２８】
固定板１８ａの上下両部にはそれぞれ四角板状の上部鉤部固定板４１及び下部鉤部固定板４２が背面方向に折り曲げ形成されている。これら上部及び下部鉤部固定板４１、４２には、図２（ａ）に示すように、それぞれ略三角板状の上部外枠鉤部４３及び下部外枠鉤部４４の基端側がリベットＲ１でかしめ着けされることによって傾動可能に取り付けられている。
【００２９】
図１に示すように、側板１８ｂと前記上部及び下部鉤部固定板４１，４２との間には、長四角板状の作動杆４６が上下動可能に設けられ、図２（ａ）に示すように、作動杆４６の上下両端から上部及び下部外枠鉤部４３，４４にリベットＲ２がかしめ着けられている。また、図１及び図２（ｂ）に示すように、作動杆４６の上部左側には、ロック杆４７が取り付けられている。
【００３０】
図２（ａ）に示すように、固定板１８ａのほぼ中央に切り起こし形成されたロック部材取付板１８ｈの左側面には、細長板状をなすロック部材４８がリベットＲ３により回動可能に軸支されている。図１に示すように、このロック部材４８の上端側には、前記ロック杆４７の前側部に形成された係合リブ４７ｂに係合可能な係合フック４８ａが形成されている。さらに、図２（ａ）に示すように、ロック部材４８の中央の右側面には側面視略Ｗ状をなす当接体４９がリベットＲ４により回動可能に軸支されている。
【００３１】
そして、前枠１３が閉止方向に回動されると、前記上部及び下部外枠鉤部４３，４４がそれぞれ前記外枠１２の係合金具に係合され、外枠１２に前枠１３が施錠されるようになっている。さらに、当接体４９が外枠１２に当接して前面側へ押圧されることによって前記係合フック４８ａがロック杆４７の前記係合リブ４７ｂに係合される。その結果、ロック杆４７の移動が規制されることによって作動杆４６の移動が規制されて、上部外枠鉤部４３の係合金具に対する係合が維持されるようになっている。一方、前記シリンダ錠３７を鍵４０により回転させて前枠１３の解錠操作を行うと、作動杆４６が作動されて上部及び下部外枠鉤部４３，４４の係合金具に対する係合が解除され、前枠１３が外枠１２から解錠されるようになっている。
【００３２】
続いて、ガラス扉１５の前枠１３に対する施錠機構について説明する。図２（ｂ）に示すように、側板１８ｂの内面と、前記作動杆４６の左側面との間には長四角板状のガラス扉作動体５２が上下動可能に設けられている。図１に示すように、ガラス扉作動体５２の上下両部には、側面横コ字状の上部ガラス扉鉤部５３及び下部ガラス扉鉤部５４が一体形成されている。
【００３３】
ガラス扉作動体５２の下部の左側面には板状をなすロック体５５の上端部がリベット（図示せず）でかしめ着けされることによって回動可能に軸支されている。このロック体５５の下端側の背面縁部には係合突部５５ａが背面側へ突出形成され、この係合突部５５ａは支持体１８の下部に切り起こし形成された係合突片１８ｅに係合可能に形成されている。
【００３４】
そして、上部及び下部ガラス扉鉤部５３，５４は、ガラス扉１５が前枠１３に対して閉止されたとき、ガラス扉１５に設けられた係合金具（図示せず）に係合して前枠１３に対してガラス扉１５を施錠することができる。また、前記係合状態で、前記ロック体５５の係合突部５５ａが係合突片１８ｅに係合可能な位置に配置される。
【００３５】
そのため、ガラス扉作動体５２を下方へ移動させようとしたとき、係合突部５５ａが係合突片１８ｅに係合することにより、ガラス扉作動体５２の下方への移動が規制される。その結果、上部及び下部ガラス扉鉤部５３，５４の係合金具に対する係合が維持され、ガラス扉１５の施錠機構における不正防止機構が作用する。
【００３６】
一方、前記シリンダ錠３７を鍵４０により回転させてガラス扉１５の解錠操作を行う。すると、作動杆４６が作動され、さらにロック体５５を経てガラス扉作動体５２が作動されて上部及び下部ガラス扉鉤部５３，５４の係合金具に対する係合が解除され、ガラス扉１５が前枠１３から解錠されるようになっている。
【００３７】
次に、施錠装置１７における上皿扉１６の施錠機構の作用を説明する。
図３に示す状態にある上皿扉１６を前枠１３に施錠するには、上皿扉１６を閉止方向に回動させる。すると、図４に２点鎖線に示すように、両係合片２４がそれぞれ両上皿扉鉤部２１ｂ，２２ｂの端縁に当接し、さらに上皿扉１６が回動されて係合片２４が前枠１３に近づくと、係合片２４が上皿扉鉤部２１ｂ，２２ｂの端縁に摺接していく。
【００３８】
すると、それら各係合片２４の摺接によって第１及び第２上皿扉鉤部材２１，２２がそれぞれコイルばね２５の付勢力に抗して外方へ押し出される。このとき、第１及び第２上皿扉鉤部材２１，２２は取付軸２３によって連結されているため、同時に傾動される。第１及び第２回動軸１９ａ，１９ｂを回動中心として第１及び第２上皿扉鉤部材２１，２２が傾動され、上皿扉鉤部２１ｂ，２２ｂが互いに離れていくように移動される。
【００３９】
そして、図４に実線に示すように、各係合片２４が各上皿扉鉤部２１ｂ，２２ｂの端部を通過すると、係合片２４の第１及び第２上皿扉鉤部材２１，２２に対する摺動が解除される。すると、伸張されたコイルばね２５が原形状に復元し、その復元力により第１及び第２上皿扉鉤部材２１，２２は、上皿扉鉤部２１ｂ，２２ｂが互いに近づくように傾動される。
【００４０】
このとき、第１上皿扉鉤部材２１は上皿扉鉤部２１ｂの先端が、第１回動軸１９ａを中心点とし、同第１回動軸１９ａの中心点と上皿扉鉤部２１ｂの先端とを結んだ直線を半径とする円弧上を移動するように傾動される。同時に、第２上皿扉鉤部材２２は上皿扉鉤部２２ｂの先端が、第２回動軸１９ｂを中心点とし、同第２回動軸１９ｂの中心点と上皿扉鉤部２２ｂの先端とを結んだ直線を半径とする円弧上を移動するように傾動される。
【００４１】
そのため、上皿扉鉤部２１ｂの内側縁が上側の係合片２４の斜め外側、具体的には斜め上方から同係合片２４の外側面に近づくように第１上皿扉鉤部材２１は傾動される。同時に、上皿扉鉤部２２ｂの内側縁が下側の係合片２４の斜め外側、具体的には斜め下方から同係合片２４の外側面に近づくように第２上皿扉鉤部材２２は傾動される。その結果、上皿扉鉤部２１ｂ，２２ｂは、それぞれ先端が係合片２４に接触することなく各係合片２４に係合される。
【００４２】
そして、図５に示すように、第１上皿扉鉤部材２１の下端縁及び第２上皿扉鉤部材２２の上端縁が当接規制片２０ａに当接すると、第１及び第２上皿扉鉤部材２１，２２の傾動が規制される。第１及び第２上皿扉鉤部材２１，２２の傾動の規制とともに、各係合片２４に対する上皿扉鉤部２１ｂ，２２ｂの係合により、上皿扉１６が前枠１３に施錠される。
【００４３】
また、この施錠状態において、コイルばね２５の付勢力によって上皿扉鉤部２１ｂ，２２ｂが互いに近づくように付勢されている。そのため、係合片２４に対する上皿扉鉤部２１ｂ，２２ｂの係合状態が維持され、前枠１３に対する上皿扉１６の施錠が維持される。
【００４４】
続いて、上皿扉１６を解錠するには、ガラス扉１５を前枠１３から解錠する。次に、前枠１３の前面から手で操作片２１ａを施錠装置１７の背面側へ押し出し、第１上皿扉鉤部材２１をコイルばね２５の付勢力に抗して傾動させる。すると、第１上皿扉鉤部材２１には取付軸２３により第２上皿扉鉤部材２２が連結されているため、第１上皿扉鉤部材２１の傾動とともに、第２上皿扉鉤部材２２が傾動される。その結果、各係合片２４に対する上皿扉鉤部２１ｂ，２２ｂの係合が解除され、上皿扉１６が前枠１３から解錠される。
【００４５】
実施形態の施錠装置１７によれば、以下のような特徴を得ることができる。
（１）第１及び第２上皿扉鉤部材２１，２２をそれぞれ傾動可能に支持体１８に取り付けた。そのため、上皿扉１６の各係合片２４の外側面に対して、上皿扉鉤部２１ｂ，２２ｂをそれぞれ各係合片２４の斜め外側から被さるように係合させることができる。従って、各上皿扉鉤部２１ｂ，２２ｂが係合片２４に対してほぼ真下から直線的にスライド移動して係合する場合と比較して上皿扉鉤部２１ｂ，２２ｂの先端を各係合片２４に接触しにくくすることができ、容易に係合させることができる。その結果、上皿扉鉤部２１ｂ，２２ｂを各係合片２４に係合させるために、上皿扉鉤部２１ｂ，２２ｂの内側縁の傾斜角度を微妙に調整したりする必要がなく、施錠装置１７の製造作業の簡易化を図ることができる。
【００４６】
（２）コイルばね２５の付勢力により、上皿扉鉤部２１ｂ，２２ｂが互いに近づく方向へ傾動するように第１及び第２上皿扉鉤部材２１，２２を付勢した。そのため、コイルばね２５によって、上皿扉鉤部２１ｂ，２２ｂを半自動的に各係合片２４に係合させることができるとともに、それら上皿扉鉤部２１ｂ，２２ｂが各係合片２４に係合した状態を維持することができる。
【００４７】
（３）上側の係合片２４の上端縁に上皿扉鉤部２１ｂが上方から係合し、下側の係合片２４の下端縁に上皿扉鉤部２２ｂが下方から係合する。そのため、上皿扉１６の上下両方向への移動を規制することができ、上皿扉１６が不正に解錠される虞を無くすことができる。
【００４８】
（４）第１及び第２上皿扉鉤部材２１，２２は上皿扉鉤部材取付板２０に軸支され、取付板２３ａは取付長孔２０ｂ内に位置しているため、上皿扉１６の施錠機構を上皿扉鉤部材取付板２０上にユニット化することができる。従って、上皿扉鉤部材取付板２０を支持体１８に取り付けることによって上皿扉１６の施錠機構を施錠装置１７に容易に設けることができるとともに、上皿扉鉤部材取付板２０の取付位置を調整することによって、パチンコ遊技機１１の上皿扉１６の位置に容易に対応することができる。
【００４９】
（５）取付軸２３により、第１及び第２上皿扉鉤部材２１，２２が連結されているため、第１上皿扉鉤部材２１を傾動させると同時に第２上皿扉鉤部材２２を傾動させることができる。従って、一対の係合片２４に対する上皿扉鉤部２１ｂ，２２ｂの係合を同時に解除することができ、上皿扉１６の解錠作業を容易に行うことができる。
【００５０】
（６）第１上皿扉鉤部材２１には操作片２１ａが形成されているため、操作片２１ａを操作することにより、第１及び第２上皿扉鉤部材２１，２２を手動で容易に傾動させて上皿扉１６の解錠作業を容易に行うことができる。
【００５１】
なお、前記実施形態を次のように変更して具体化することも可能である。
・　実施形態では、第１及び第２上皿扉鉤部材２１，２２を上皿扉鉤部２１ｂ，２２ｂが相対向するように上皿扉鉤部材取付板２０に取り付けたが以下のように変更してもよい。例えば、上皿扉鉤部２１ｂ，２２ｂがそれぞれ係合片２４の上側又は下側から係合するように第１及び第２上皿扉鉤部材２１，２２を上皿扉鉤部材取付板２０に取り付けてもよい。
【００５２】
・　実施形態では、第１上皿扉鉤部材２１に操作片２１ａを一体形成したが、以下のように変更してもよい。例えば、第１及び第２上皿扉鉤部材２１，２２とは別部材の操作片２１ａを施錠装置１７に設けてもよく、操作片２１ａを第２上皿扉鉤部材２２に形成してもよい。
【００５３】
・　図７に示すように、第１上皿扉鉤部材２１の下端部に押出片２１ｆを前方に延びるように形成してもよい。そして、前枠１３に対して上皿扉１６が閉止状態にあるとき、押出片２１ｆは上皿扉１６側へ延びるように形成され、その上皿扉１６の背面に接触しないようになっている。
【００５４】
図８に示すように、操作片２１ａを操作して、第１及び第２上皿扉鉤部材２１，２２を傾動させ、上皿扉鉤部２１ｂ，２２ｂの係合片２４に対する係合を解除させたとき、押出片２１ｆは上皿扉１６方向へ押し出される。その結果、押出片２１ｆによって、上皿扉１６は押し出され、前記係合の解除とともに、上皿扉１６が開かれる。従って、上皿扉１６の解錠及び開放をほぼ同時に行うことができる。
【００５５】
・　実施形態では、第１及び第２上皿扉鉤部材２１，２２の二体の上皿扉鉤部材を上皿扉鉤部材取付板２０に取り付けたが、何れか一方のみを上皿扉鉤部材取付板２０又は側板１８ｂに傾動可能に軸支し、上皿扉鉤部材を一体だけ設けてもよい。なお、係合片２４は上皿扉鉤部材取付板２０又は側板１８ｂに取り付けられた第１及び第２上皿扉鉤部材２１，２２の何れか一方に対応するように一箇所だけ取り付けてもよく、実施形態と同様に二箇所に取り付けてもよい。
【００５６】
また、コイルばね２５は、同コイルばね２５の一端が第１及び第２上皿扉鉤部材２１，２２の何れか一方に掛止され、他端が上皿扉鉤部材取付板２０又は側板１８ｂの任意の位置に掛止される。そして、コイルばね２５の付勢力によって第１及び第２上皿扉鉤部材２１，２２の何れか一方は係合片２４に係合する方向へ付勢されている。さらに、第２上皿扉鉤部材２２が軸支されたときは、その第２上皿扉鉤部材２２に操作片２１ａ及び押出片２１ｆの少なくともいずれか一方を形成してもよい。従って、このように構成した場合、上皿扉１６の施錠機構における部品点数を少なくして、施錠装置１７の材料費の節約を図ることができる。
【００５７】
・　実施形態では、第１及び第２上皿扉鉤部材２１，２２が取り付けられた上皿扉鉤部材取付板２０を側板１８ｂに取り付けて、支持体１８に第１及び第２上皿扉鉤部材２１，２２を設けたが以下のように変更してもよい。即ち、上皿扉鉤部材取付板２０を省略して、第１及び第２上皿扉鉤部材２１，２２を側板１８ｂに直接的に取り付けてもよい。
【００５８】
・　実施形態では、施錠装置１７を、前枠１３の施錠機構と、ガラス扉１５の施錠機構と、上皿扉１６の施錠機構とを備えたものとしたが以下のように変更してもよい。即ち、前枠１３の施錠機構を省略して、施錠装置１７をガラス扉１５の施錠機構と、上皿扉１６の施錠機構とを備えたものとしてもよい。
【００５９】
・　前記コイルばね２５を、板ばねやゴム等の他の付勢部材にそれぞれ変更してもよい。
次に上記実施形態及び別例から把握できる技術的思想について、それらの効果とともに以下に追記する。
【００６０】
（１）前記二体の上皿扉鉤部材は前記鉤部が互いに相対向するように形成され、上側の係合片に、上側に位置する上皿扉鉤部材の鉤部が上方から係合し、下側の係合片に、下側に位置する上皿扉鉤部材の鉤部が下方から係合することを特徴とする請求項２に記載の遊技機における施錠装置。このように構成した場合、上下二段の係合片に対して上下両側から鉤部が係合するため、上皿扉の上下両方向への移動を規制することができ、上皿扉が不正に解錠される虞を無くすことができる。
【００６１】
（２）前記二体の上皿扉鉤部材は、各鉤部が互いに近づく方向へ傾動するように前記付勢部材により付勢されていることを特徴とする請求項２及び前記技術的思想（１）に記載の遊技機における施錠装置。このように構成した場合、各鉤部が係合片に係合した状態を維持することができ、上皿扉が容易に解錠される虞をなくすことができる。
【００６２】
【発明の効果】
以上、詳述したように、請求項１に記載の発明によれば、上皿扉の係合片に鉤部を容易に係合させることができる。
【００６３】
請求項２に記載の発明によれば、請求項１に記載の発明の効果に加え、取付軸により、二体の上皿扉鉤部材が連結されているため、一方の上皿扉鉤部材を傾動させると同時に他方の上皿扉鉤部材を傾動させることができる。従って、各係合片に対する鉤部の係合を同時に解除することができ、上皿扉の解錠作業を容易に行うことができる。
【００６４】
請求項３に記載の発明によれば、請求項１に記載の発明の効果に加え、上皿扉の施錠機構における部品点数を少なくして、材料費の節約を図ることができる。
請求項４に記載の発明によれば、請求項１〜請求項３のいずれか一項に記載の発明の効果に加え、操作片を操作することにより、上皿扉鉤部材を手動で容易に傾動させて上皿扉の解錠作業を容易に行うことができる。
【００６５】
請求項５に記載の発明によれば、請求項１〜請求項４のいずれか一項に記載の発明の効果に加え、鉤部の係合片に対する係合が解除されたとき、押出片によって、上皿扉を押し出すことができるため、前記係合の解除及び上皿扉の開放をほぼ同時に行うことができる。
【図面の簡単な説明】
【図１】実施形態の施錠装置を示す分解斜視図。
【図２】（ａ）は施錠装置を示す側断面図、（ｂ）は施錠装置を示す背面図。
【図３】上皿扉の施錠機構を示す部分拡大側断面図。
【図４】第１及び第２上皿扉鉤部材が傾動した状態の部分拡大側断面図。
【図５】係合片に上皿扉鉤部が係合した状態を示す部分拡大側断面図。
【図６】実施形態のパチンコ遊技機を示す斜視図。
【図７】別例の上皿扉の施錠機構を示す部分拡大側断面図。
【図８】別例の上皿扉の施錠装置を示す部分拡大側断面図。
【符号の説明】
１１…遊技機としてのパチンコ遊技機、１２…外枠、１３…前枠、１４…遊技盤、１５…ガラス扉、１６…上皿扉、１７…施錠装置、１８…支持体、２１…第１上皿扉鉤部材、２１ａ…操作片、２１ｂ，２２ｂ…上皿扉鉤部、２１ｆ…押出片、２２…第２上皿扉鉤部材、２３…取付軸、２４…係合片、２５…付勢部材としてのコイルばね。
【図１】
2004081242.tif 000003
【図２】
2004081242.tif 000004
【図３】
2004081242.tif 000005
【図４】
2004081242.tif 000006
【図５】
2004081242.tif 000007
【図６】
2004081242.tif 000008
【図７】
2004081242.tif 000009
【図８】
2004081242.tif 000010